(57)【特許請求の範囲】
【請求項１】
バンド部と、このバンド部の基端に連設されたタグ部と、前記バンド部の基端とタグ部との間の連接部に裂け目を介して引きちぎり可能に繋いである隆起状のヘッド部とを備えており、前記バンド部にのこ歯状の抜止歯がバンド長手方向に所定ピッチで列設されており、前記ヘッド部に、前記バンド部がこれの先端から挿通されるバンド挿通穴が設けられるとともに、前記バンド部のバンド挿通穴内への挿通方向移動により前記抜止歯の上を滑り、バンド部の前記挿通方向と反対の引抜き方向への移動により前記抜止歯に係合する係止爪が、前記バンド挿通穴の内部に向けて突設されている封緘具であって、
前記ヘッド部のバンド延出方向側とは反対側に、前記ヘッド部の隆起方向と同一方向に隆起する凸部が前記ヘッド部に隣接し、且つ前記タグ部に前記裂け目と連続する裂け目を介して引きちぎり可能に連設され、該凸部と前記ヘッド部との連接部を前記凸部がヘッド部に近付くように折り曲げることにより前記凸部が前記ヘッド部に接当干渉するようにしてあることを特徴とする封緘具。
【請求項２】
前記バンド部の抜止歯より基端側には、封緘により被結束物に食込む食込み突起を設けてある請求項１記載の封緘具。
【請求項３】
封緘具全体が合成樹脂で一体成形されている請求項１又は２記載の封緘具。
【発明の詳細な説明】
【０００１】
【発明の属する技術分野】
本発明は、硬貨袋やファイバードラムなどを封緘するのに用いられる封緘具に関する。
【０００２】
【従来の技術】
図６及び図７は従来の封緘具を例示している。この封緘具はバンド部１を有し、このバンド部１の基端に、印字やラベル等の貼り付けが行われるタグ部２をヘッド部４を介して連設している。バンド部１にはのこ歯状の抜止歯５がバンド長手方向に所定ピッチで列設している。ヘッド部４には、バンド部１がこれの先端から挿通されるバンド挿通穴８を設けるとともに、係止爪９をバンド挿通穴８の内部に向けて突設している。ヘッド部４は、バンド部１の基端とタグ部２との間の連接部３に対し、裂け目１０を介して引きちぎれ可能に形成している。これらバンド部１、タグ部２及びヘッド部４の全てが合成樹脂で一体成形されている。
【０００３】
そして、硬貨袋やファイバードラムなどを封緘する実使用時には、図７に示すように、バンド部１をこれの先端からヘッド部４のバンド挿通穴８にｂ矢視方向に挿通すると、抜止歯５群が順次係止爪９の先端上を滑って行くため硬貨袋やファイバードラム等の被結束部Ｐを強く引締め結束することができるが、バンド部１がｂ矢視方向と反対の引抜き方向に引っ張られたときは抜止歯５が係止爪９の先端に係合してその引抜きが阻止される。つまり、抜止歯５と係止爪９はヘッド部４のバンド挿通穴８に対しバンド部１を引締め方向へのみ挿通可能にする機能を発揮する。
開封するときは、両手でタグ部２とバンド部１の先端部を持って引っ張ると、ヘッド部４がバンド部１の基端とタグ部２との間の連接部３から裂け目１０に沿って引きちぎれるようになっている。このように開封されたときは裂け目１０が裂けてしまうため、不正に開封された場合に封緘の不当な改ざんを防止できることにもなる。
【０００４】
【発明が解決しようとする課題】
しかるに、開封時にヘッド部４を裂け目１０に沿ってバンド部１から引きちぎれるようにした上記封緘具では、開封時にヘッド部４を容易に引きちぎれるようにするために裂け目１０を極薄に形成していると、封緘時にタグ部２を持ってバンド部１を強く引締める時にヘッド部４が裂け目１０に沿って引きちぎれてしまい、かと言って、裂け目１０を厚めに形成してあると、開封時にヘッド部４を引きちぎるのに非常に強い力を要し、引きちぎり難くなる、という二律背反の問題があった。
【０００５】
本発明は、かかる問題を解消するためになされたものであり、上記のような、開封時にヘッド部を裂け目に沿ってバンド部から引きちぎるようにした形態の封緘具において、開封手段に工夫を凝らすことにより封緘時におけるバンド部の強い引締めを可能にするとともに、開封時におけるヘッド部の引き裂きの容易化を図れる封緘具を提供することを目的とする。
【０００６】
【課題を解決するための手段】
本発明の請求項１に係る発明の前提とする封緘具は、図１及び図２に例示するように、バンド部１と、このバンド部１の基端に連設されたタグ部２と、バンド部１の基端とタグ部２との間の連接部３に裂け目１０を介して引きちぎり可能に繋いである隆起状のヘッド部４とを備えており、バンド部１にのこ歯状の抜止歯５がバンド長手方向に所定ピッチで列設されており、ヘッド部４に、バンド部１がこれの先端から挿通されるバンド挿通穴８が設けられるとともに、バンド部１のバンド挿通穴内８への挿通方向移動により抜止歯５の上を滑り、バンド部１の前記挿通方向と反対の引抜き方向への移動により抜止歯５に係合する係止爪９が、バンド挿通穴８の内部に向けて突設されているものである。
そのうえで、本発明は、前記ヘッド部４のバンド延出方向側とは反対側に、ヘッド部４の隆起方向と同一方向に隆起する凸部１１がヘッド部４に隣接し、且つタグ部２に前記裂け目１０と連続する裂け目１２を介して引きちぎり可能に連設され、該凸部１１とヘッド部４との連接部１３を前記凸部１１がヘッド部４に近付くように折り曲げることにより前記凸部１１がヘッド部４に接当干渉するようにしてあることに特徴を有するものである。
【０００７】
この請求項１記載の封緘具によれば、硬貨袋やファイバードラムなどを封緘する実使用時には、バンド部をこれの先端からヘッド部のバンド挿通穴に挿通し、タグ部とバンド部の先端を持ってバンド部を引締めると、抜止歯群が順次係止爪の先端上を滑って行って硬貨袋等の被結束部を強く結束することができる。封緘後にはバンド部を引抜き方向に引っ張っても抜止歯は係止爪に係合してその引抜きが阻止される。これにより前述した従来の封緘具と同様に本来の封緘機能を発揮する。
【０００８】
とくに本発明では、ヘッド部のバンド延出方向側とは反対側に、ヘッド部の隆起方向と同一方向に隆起する凸部がヘッド部に隣接して且つタグ部に引きちぎり可能に連設され、該凸部とヘッド部との連接部を凸部がヘッド部に近付くように折り曲げることにより凸部がヘッド部に接当干渉するようにしてある。したがって、開封時にはタグ部を持って凸部とヘッド部との連接部を凸部がヘッド部に近接するように折り曲げて引っ張ると、凸部がヘッド部に接当干渉し、この干渉後にタグ部を更に同一方向に引っ張ると、凸部がヘッド部を被結束物に対し押し付けながら裂け目に大きな引張力が集中するため比較的小さい引張力でその裂け目を引きちぎることができ、これによりヘッド部及び突部をバンド部とタグ部との連接部から分離することができる。
【０００９】
また、このように開封手段として凸部をヘッド部に干渉させて引っ張ることで比較的小さい引張力で容易に裂け目を引き裂くことができるため、その裂け目を従来の裂け目よりもやや厚めに形成する等してやや引張強度に強く形成しておくことが可能となり、また封緘時にバンド部を引締めるときは凸部とヘッド部との連接部は凸部がヘッド部から離反する方向に折り曲げられるため、封緘時においては裂け目を引き裂く懸念なくバンド部を強く引締めることができる。
【００１０】
請求項２に係る発明は、請求項１記載の封緘具において、上記バンド部の抜止歯より基端側には、封緘により被結束物に食込む食込み突起を設けたものである。この請求項２記載の封緘具によれば、封緘後、片手でタグ部を引っ張って開封するときにバンド部が被結束物の外周を空回りするのを確実に阻止できるため、より簡単に開封し易くなる。請求項１又は２記載の封緘具において、請求項３記載の発明のように封緘具全体を合成樹脂で一体成形することが、安価に量産できて好ましい。
【００１１】
【発明の実施の形態】
本発明に係る封緘具の一実施例を図１ないし図４に基いて説明する。
図１は封緘具の平面図、図２は図１におけるＡ−Ａ線断面、図３の（ａ）は封緘途上の側面図、同図の（ｂ）は封緘終了状態の側面図、図４の（ａ）は開封途上の側面図、同図の（ｂ）は開封終了状態の側面図である。
【００１２】
図１及び図２に示した封緘具はナイロンあるいはポリプロピレンなどの合成樹脂でその全体が一体成形されたものである。
この封緘具は、図１に示すように、バンド部１と、このバンド部１の基端に一体に連設されたタグ部２と、バンド部１の基端とタグ部２との間の連接部３に一体形成されたヘッド部４とを備えてなる。タグ部２はバンド部１の幅よりも広幅の四角形状に形成され、これに印字したり、ラベルＬ等の貼り付けなどが行われるようになっている。
【００１３】
図２に示すように、バンド部１はこれの片面に略直角面５ａと基端側に向けて上り傾斜の斜面５ｂとを有する形を呈するのこ歯状の抜止歯５をバンド長手方向に所定ピッチで列設するとともに、最も基端側の抜止歯５と基端部との間には、被結束物に食込ませるための円錐状などの食込み突起６を１個もしくは２個以上バンド長手方向に列設している。バンド部１の先細状に形成した先端部１ａと最先端側の抜止歯５との間の箇所は、他の箇所よりも薄肉にし且つ当該箇所に抜き穴７を形成することにより当該先端部を撓み易くして、後述のバンド挿通穴８に挿入し易くしている。
【００１４】
図１及び図２において、ヘッド部４は、バンド部１の基端とタグ部２との間の連接部３の、抜止歯形成面とは反対側の片面から隆起するよう一体に突出して四角筒状に形成されている。このヘッド部４には、バンド部１がこれの先端部１ａから挿通される断面四角形のバンド挿通穴８がヘッド部４の底側部４ａから頂部４ｂにわたって貫通するよう設けられるとともに、係止爪９がバンド挿通穴８内に設けられている。その係止爪９はバンド挿通穴８内においてヘッド部４の底側部４ａから頂部４ｂに向かって立ち上がる形に一体に形成され、その根元部９ａのみがヘッド部４のバンド挿通穴８内の底側部４ａにバンド挿通穴径方向に折曲自在に連設されている。したがって、バンド部１の先端部１ａをバンド挿通穴８にこれの底側部４ａから挿入してヘッド部４の頂部４ｂより外方へ突出させ、このバンド部１の突出先端部１ａを引っ張ると、バンド部１は順次抜止歯５の斜面５ｂで係止爪９をその弾性に抗し押し返してバンド挿通穴８を挿通移動することができるが、バンド部１をそれと反対に引抜き方向に移動させると係止爪９の先端部に抜止歯５の略直角面５ａが係合するため、その引抜きが阻止される。
【００１５】
ヘッド部４はバンド部１の基端とタグ部２との間の連接部３に裂け目１０を介して引きちぎり可能に繋いだ状態に形成されている。裂け目１０は連接部３の厚みよりも薄肉に形成したり、ミシン目状に断続的に繋ぐなどして連接部３よりも弱体に形成する。ヘッド部３の底側部４ａには、図２に示すごとく上記食込み突起６と同じ食込み突起６を並べて設けている。
【００１６】
ヘッド部４のバンド延出方向側とは反対側には、ヘッド部４の隆起方向と同一方向に隆起する凸部１１がヘッド部４に隣接し、且つタグ部２に前記裂け目１０と連続する裂け目１２を介して引きちぎり可能に連設される。凸部１１は平面視三角形状にかつ側面視三角形状で該三角形頂部がタグ部２に向くように形成されている。この凸部１１とヘッド部４との連接部１３は貫通穴１４を１個もしくは２個以上設けることにより折り曲げ易く形成している。そしてタグ部２を持って連接部１３を凸部１１がヘッド部４に近付くするように折り曲げると凸部１１がヘッド部４に接当干渉するように形成してある。
【００１７】
上記構成の封緘具において、図３の（ａ）のように硬貨袋やファイバードラムなどの被結束物Ｐにバンド部１を巻き付け、バンド部１の先端部１ａをバンド挿通穴８にヘッド部４の底側部４ａから挿入してヘッド部４の頂部４ｂより外方へ突出させる。そして、タグ部２を片手でつかみ、他方の手でバンド部１の突出先端部を持ってタグ部２を連接部１３を支点にしてａ矢視方向に曲げ、バンド部１の突出先端部をｂ矢視方向に引っ張ってバンド部１を被結束物Ｐに締め付ける。このとき、バンド部１は順次抜止歯５の斜面５ｂで係止爪９をその弾性に抗して押し返しながらバンド挿通穴８からｂ矢視方向に引張り出すことができてバンド部１で被結束物Ｐに強く締め付けて封緘することができる。また、このバンド部１の締め付けにより食込み突起６が被結束物Ｐに食込み係合する。
【００１８】
封緘後、タグ部２及びバンド部１の突出先端部から手を離すと、図３の（ｂ）のように、凸部１１とヘッド部４間の連接部１３は弾性復元力により真っ直ぐな姿勢に戻り、或る抜止歯５は略直角面５ａを係止爪９の先端部に抜止め状に係合するため、バンド部１を締め付け方向（ｂ矢視方向）と反対の引抜き方向に引っ張っても引抜くことができず、バンド部１を被結束物Ｐに強く締め付けた封緘状態を堅持できる。
【００１９】
封緘後、被結束物Ｐを開封するには、図４の（ａ）のように、タグ部２を片手で持って前記ｂ矢視方向と反対のｃ矢視方向に引っ張って凸部１１とヘッド部４との連接部１３を折り曲げると、凸部１１がヘッド部４に接当干渉し、この干渉後にタグ部２を更に同一方向に引っ張ると、凸部１１がヘッド部４を被結束物Ｐに対し押し付けながら裂け目１０，１２に大きな引張力が集中するため、比較的小さい引張力でその裂け目１０，１２を引きちぎることができ、これによりヘッド４及び凸部１１をバンド部１とタグ部２との連接部３から分離することができる（図４の（ｂ）参照）。その際、食込み突起６が被結束物Ｐに食込み係合しているので、片手でタグ部２をｃ矢視方向に引っ張ったときバンド部１が被結束物Ｐの外周を空回りするのを確実に阻止できるので、裂け目１０，１２の引きちぎりがきわめて容易に行える。
【００２０】
また、このように凸部１１を設けておき、開封時に該凸部１１をヘッド部４に干渉させて引っ張ることににより比較的小さい引張力で裂け目１０，１２を引きちぎることができるので、裂け目１０を厚めに形成しておくことが可能であり、また封緘時にバンド部１を引締めるときは凸部１１とヘッド部４との連接部１３は凸部１１がヘッド部４から離反する方向に折り曲げられるため、封緘時においては裂け目１０を引き裂く懸念なくバンド部１を強く引締めることができる。
【００２１】
上記実施例ではヘッド部４の底側部４ａまわりの一部４ｃ（図１参照）が連接部３に繋がらない形に形成されているが、これに代えて図５に示すようにヘッド部４の底側部４ａまわりの全周にわたって連接部３に裂け目１０を介して繋がる形に形成するものであってもよい。
【００２２】
【発明の効果】
本発明によれば、ヘッド部を裂け目に沿ってバンド部から引きちぎるようにした形態の封緘具において封緘時にはバンド部を強く引き締めることができるとともに、開封時にはヘッド部を比較的小さい力で容易に引き裂くことができて取扱い至便であるという利点がある。
【図面の簡単な説明】
【図１】封緘具の平面図である。
【図２】図１におけるＡ−Ａ線断面図である。
【図３】（ａ）は封緘途上の側面図、（ｂ）は封緘終了状態の側面図である。
【図４】（ａ）は開封途上の側面図、（ｂ）は開封終了状態の側面図である。
【図５】他の実施例の封緘具の要部の平面図である。
【図６】従来例の封緘具の平面図である。
【図７】図６の封緘具による封緘終了状態の断面図である。
【符号の説明】
１  バンド部
２  タグ部
３，１３  連接部
４  ヘッド部
５  抜止歯
６  食込み突起
８  バンド挿通穴
９  係止爪
１０，１２  裂け目
１１  凸部
【図１】
0004248109.tif 000002
【図２】
0004248109.tif 000003
【図３】
0004248109.tif 000004
【図４】
0004248109.tif 000005
【図５】
0004248109.tif 000006
【図６】
0004248109.tif 000007
【図７】
0004248109.tif 000008